(57)【要約】【課題】  本発明は、リモコン信号をネットワークを利用して送信し、遠隔にある機器をコントロールする場合に、その機器をより正確に制御することのできるネットワーク型映像制御装置の提供を目的とする。【解決手段】  本発明は、符号化処理された映像信号および音声信号をネットワークを介して送信すると共に、そのネットワークを介して第１のリモコン信号を受信し、この受信した第１のリモコン信号のリモコンコードを解釈してそのリモコンコードに応じた第２のリモコン信号を出力し、受信した第１のリモコン信号が予め処理実行を禁止されたリモコンコードである場合には、第２のリモコン信号による処理実行を抑制する。【選択図】      図２
2005333511.tif 000002
【特許請求の範囲】
【請求項１】
符号化処理された映像信号および音声信号をネットワークを介して送信すると共に、そのネットワークを介して第１のリモコン信号を受信する伝送部と、
この伝送部により受信した第１のリモコン信号のリモコンコードを解釈し、そのリモコンコードに応じた第２のリモコン信号を出力するリモコンコード処理部とを備え、このリモコンコード処理部は、受信した第１のリモコン信号が予め処理実行を禁止されたリモコンコードである場合に、前記第２のリモコン信号による処理実行を抑制することを特徴とするネットワーク型映像制御装置。
【請求項２】
前記符号化処理された映像信号および音声信号を無線電波送信し、かつ前記第１のリモコン信号を受信するためのアンテナを備え、前記伝送部はそのアンテナを用いた無線ネットワークを介して前記符号化処理された映像信号および音声信号の送信および前記第１のリモコン信号の受信を行うことを特徴とする請求項1記載のネットワーク型映像制御装置。
【請求項３】
前記リモコンコード処理部が出力する前記第２のリモコン信号を発光出力する発光器を備えたことを特徴とする請求項1記載のネットワーク型映像制御装置。
【請求項４】
ＴＶ放送または外部接続機器からの映像信号および音声信号を入力する入力部と、
この入力部より入力した前記映像信号に基づいて映像を出力する表示モニタと、
前記音声信号に基づいて音声出力するスピーカと、
前記映像信号および音声信号を符号化処理する符号化処理部と、
この符号化処理された映像信号および音声信号をネットワークを介して送信すると共に、そのネットワークを介して第１のリモコン信号を受信する伝送部と、
この伝送部により受信した第１のリモコン信号のリモコンコードを解釈し、そのリモコンコードに応じた第２のリモコン信号を出力するリモコンコード処理部とを備え、
このリモコンコード処理部は、受信した第１のリモコン信号が予め処理実行を禁止されたリモコンコードである場合に、前記第２のリモコン信号による処理実行を抑制することを特徴とするネットワーク型映像制御装置。
【請求項５】
前記リモコンコード処理部は、解釈した前記第１のリモコン信号のリモコンコードに基づいて前記表示モニタおよぶスピーカを制御することを特徴とする請求項１記載のネットワーク型映像制御装置。
【請求項６】
符号化処理された映像信号および音声信号をネットワークを介して受信するとともに、そのネットワークを介して第１のリモコン信号を送信する伝送部と、
この伝送部で受信した映像信号を表示出力する表示モニタおよび音声信号を出力するスピーカと、
第２のリモコン信号を受信してそのリモコンコードを解釈し、前記伝送部を介して前記第１のリモコン信号として出力させ、或いは前記表示モニタ或いは前記スピーカの制御出力として出力させるリモコンコード処理部と、
前記第２のリモコン信号を前記伝送部より前記ネットワーク介して前記第１のリモコン信号として出力させるか、或いは前記表示モニタ或いは前記スピーカの制御出力として出力させるかを示すリモコンコード参照テーブルを記憶するリモコンコード記憶部とを備え、
前記リモコンコード処理部は、受信した第２のリモコン信号を前記リモコンコード参照テーブルに基づいて選択的に出力することを特徴とするネットワーク型映像制御装置。
【請求項７】
前記第２のリモコン信号を受信して前記リモコンコード参照テーブルにリモコンコードを登録する登録手段を備えたことを特徴とする請求項６記載のネットワーク型映像制御装置。
【請求項８】
符号化処理された映像信号および音声信号をネットワークを介して送信すると共に、そのネットワークを介して第１のリモコン信号を受信し、
この受信した第１のリモコン信号のリモコンコードを解釈してそのリモコンコードに応じた第２のリモコン信号を出力し、
受信した第１のリモコン信号が予め処理実行を禁止されたリモコンコードである場合には、前記第２のリモコン信号による処理実行を抑制することを特徴とするネットワーク型映像制御方法。
【請求項９】
ＴＶ放送または外部接続機器からの映像信号および音声信号を入力し、
この入力した前記映像信号に基づいて表示モニタに映像を出力すると共に、前記音声信号に基づいてスピーカより音声を出力し、
前記映像信号および音声信号を符号化処理部にて符号化処理し、
この符号化処理された映像信号および音声信号をネットワークを介して送信すると共に、そのネットワークを介して第１のリモコン信号を受信し、
この受信した第１のリモコン信号のリモコンコードを解釈して、そのリモコンコードに応じた第２のリモコン信号を出力し、
受信した第１のリモコン信号が予め処理実行を禁止されたリモコンコードである場合に、前記第２のリモコン信号による処理実行を抑制することを特徴とするネットワーク型映像制御方法。
【発明の詳細な説明】
【技術分野】
【０００１】
本発明は、ネットワークを介して映像信号及び／または音声信号を送受信するＡＶ伝送システムに関し、特にネットワークを介してリモコン信号を送受信するネットワーク型映像制御装置およびその制御方法に関するものである。
【背景技術】
【０００２】
近年、無線ＬＡＮ（Local Area Network）等の規格やデバイスの充実に伴って、テレビやビデオの映像をデジタル圧縮して電波で送り出すＡＶ（Audio video）送信機と、家庭内の別の部屋で受信できるＡＶ受信機とがセットとなったネットワークＡＶ伝送システムが提案されている。これらは、ＩＥＥＥ８０２．１１ａやＩＥＥＥ８０２．１１ｂ等の無線伝送方式により、例えばＭＰＥＧ２等のデジタル圧縮データを用いることで、１０Ｍｂｐｓ以下の帯域での映像音声データの転送を可能にしている。
【０００３】
また、それに伴って、映像ソースの機器コントロールをリモートで行うために、映像を入力しデジタル圧縮して送信するＡＶ送信機に赤外線リモコン装置を付随させて、離れた部屋などから映像ソースのコントロールを可能にしている。リモコンコードは、別途用意されたリモコン端末から発信され、ＡＶ受信機によって受信後、無線を通じてＡＶ送信機へ送られる。これによって、離れた部屋からの映像ソースの例えばチャネルや、映像再生、停止などの機器コントロールを行うことができる。（特許文献１参照）
【０００４】
【特許文献１】特開２００３−２１９４８６号
【発明の開示】
【発明が解決しようとする課題】
【０００５】
しかしながら、特許文献１に開示されている従来の技術では、映像受信アダプタ２２から送信されたＩＰパケットから得られるリモコンコードにより自機器が制御対象機器であった場合には、自機器のコマンドと解釈してそのまま動作させている。そのため、特許文献１の図１に記載のようにネットワークＰＶＲ１２と映像受信アダプタ２２が設置されており、かつ部屋１と部屋２においてそれぞれ映像コンテンツ等を視聴していて、かつＶＣＲ６１を付属リモコンを用いて操作している場合においては問題となる。すなわち、一般的に、ＶＣＲ等のモニタＴＶ受信機と接続する機器に付属している付属リモコンは、ＴＶ受信機のリモコンコードもプリセットされており、ＶＣＲに付属するリモコン１台でＶＣＲだけでなくＴＶ受信機も操作することができる。このリモコンを用いて映像受信アダプタを部屋２から遠隔操作する場合、部屋２の視聴者が誤って同リモコンのＴＶ受信機用ボタンを操作してしまった場合でも、ネットワークＰＶＲ１２は映像受信アダプタからリモコンコードを受信し、それがネットワークＰＶＲ１２のリモコンコードであった場合、それをそのままネットワークＰＶＲ１２において実行してしまう。その際、受信したリモコンコードがネットワークＰＶＲ１２の電源ボタンであった場合、ネットワークＰＶＲ１２の電源をオフにしてしまうという問題点がある。
【０００６】
また、上記先行特許に関わらず、ネットワークＰＶＲ１２に相当する機器がＴＶモニタ一体型である構成において、受信したリモコンコードが音量調節コードであった場合は、部屋１で視聴している音量が意図せずに小さくなってしまったり、大音量になってしまうという問題がある。
【０００７】
そこで本発明の目的は、リモコン信号をネットワークを利用して送信し、遠隔にある機器をコントロールする場合に、その機器をより正確に制御することのできるネットワーク型映像制御装置およびその制御方法を提供することにある。
【課題を解決するための手段】
【０００８】
上記目的を達成するために、請求項１に係る発明では、符号化処理された映像信号および音声信号をネットワークを介して送信すると共に、そのネットワークを介して第１のリモコン信号を受信する伝送部と、この伝送部により受信した第１のリモコン信号のリモコンコードを解釈し、そのリモコンコードに応じた第２のリモコン信号を出力するリモコンコード処理部とを備え、このリモコンコード処理部は、受信した第１のリモコン信号が予め処理実行を禁止されたリモコンコードである場合に、第２のリモコン信号による処理実行を抑制することを特徴とするネットワーク型映像制御装置を提供する。
【０００９】
また請求項４に関わる発明では、ＴＶ放送または外部接続機器からの映像信号および音声信号を入力する入力部と、この入力部より入力した映像信号に基づいて映像を出力する表示モニタと、音声信号に基づいて音声出力するスピーカと、映像信号および音声信号を符号化処理する符号化処理部と、この符号化処理された映像信号および音声信号をネットワークを介して送信すると共に、そのネットワークを介して第１のリモコン信号を受信する伝送部と、この伝送部により受信した第１のリモコン信号のリモコンコードを解釈し、そのリモコンコードに応じた第２のリモコン信号を出力するリモコンコード処理部とを備え、このリモコンコード処理部は、受信した第１のリモコン信号が予め処理実行を禁止されたリモコンコードである場合に、第２のリモコン信号による処理実行を抑制することを特徴とするネットワーク型映像制御装置を提供する。
【００１０】
さらに請求項６に関わる発明は、符号化処理された映像信号および音声信号をネットワークを介して受信するとともに、そのネットワークを介して第１のリモコン信号を送信する伝送部と、この伝送部で受信した映像信号を表示出力する表示モニタおよび音声信号を出力するスピーカと、第２のリモコン信号を受信してそのリモコンコードを解釈し、伝送部を介して第１のリモコン信号として出力させ或いは、表示モニタ或いはスピーカの制御出力として出力させるリモコンコード処理部と、第２のリモコン信号を伝送部よりネットワーク介して第１のリモコン信号として出力させるか、或いは表示モニタ或いはスピーカの制御出力として出力させるかを示すリモコンコード参照テーブルを記憶するリモコンコード記憶部とを備え、リモコンコード処理部は、受信した第２のリモコン信号をリモコンコード参照テーブルに基づいて選択的に出力することを特徴とするネットワーク型映像制御装置を提供する。
【発明の効果】
【００１１】
本発明によれば、リモコン信号をネットワークを利用して送信し、遠隔にある機器をコントロールする場合に、その機器をより正確に制御することのできるネットワーク型映像制御装置およびその制御方法を提供することができる。
【発明を実施するための最良の形態】
【００１２】
以下に本発明の実施の形態について図面に基づいて説明する。
図１は本発明の第１の実施の形態のＡＶ伝送システムを示す図である。
部屋１０１には、ＴＶ放送および外部接続機器から入力された映像および音声を出力する無線伝送のためのアンテナ１０３を有した映像および音声を送信するネットワークＴＶ１０４と、ネットワークＴＶ１０４と接続されネットワークＴＶ１０４に映像および音声を出力するＣＳチューナー１０５と、ネットワークＴＶと接続され、ネットワークＴＶからＣＳチューナー１０５をリモートコントロールするための赤外線発光器１０６とが設けられている。部屋１０２には、ＴＶ放送および外部接続機器から入力された映像および音声を出力するとともに無線伝送のためのアンテナ１０７を有した映像および音声を受信するネットワークＴＶ１０８と、ＣＳチューナー１０５をリモートコントロールするためのリモコン１０９とが設けられている。
【００１３】
図２は本発明の第１の実施の形態におけるネットワークＴＶ１０４およびネットワークＴＶ１０８の構成を示すブロック図である。
まず、部屋１０１に設置されたネットワークＴＶ１０４は、図示しないＴＶアンテナからのＴＶ放送波を入力し、選局するためのチューナ部２０２と、チューナ部２０２で選局された放送波を復調する復調部２０３と、外部機器であるＣＳチューナー１０５からの映像および音声信号を入力する外部入力端子２０４と、この外部入力端子を介して受信した映像信号および音声信号を入力する映像音声入力部２０５と、これら映像信号および音声信号を入力して映像信号と音声信号とに切り替える映像音声切替部２０６、２０９と、映像音声切替部２０６よりの映像信号に基づいて映像を表示するモニタ２０７と、映像音声切替部２０６よりの音声信号に基づいて音声を出力するスピーカ２０８と、映像音声切替部２０９よりの映像および音声信号をＭＰＥＧ２等の符号化データとして符号化処理する符号化処理部２１０と、符号化処理部２１０で符号化された映像および音声信号のデジタル信号を無線伝送方式の形式に変換し、無線アンテナ２１２を介して無線ネットワークに出力する伝送部２１１と、ネットワークＴＶ１０４用のリモコンからのリモコン信号を受光するリモコン受光部２１５と、このリモコン受光部２１５からのリモコン信号を解釈してリモコンコードに変換し、ネットワークＴＶ１０４のモニタ２０７やスピーカ２０８等の各種制御を実行処理させると共に、無線アンテナ２１２から受信したリモコン信号を伝送部２１１を介して受信してリモコンコードに変換し、さらにそのコードをリモコン信号として出力するための赤外線発光器接続端子２１６に出力するリモコンコード処理部２１３とから構成されている。リモコンコード処理部２１３は、伝送部２１１からの入力したリモコン信号のリモコンコードが自機器（ネットワークＴＶ１０４）への制御コマンドか否か、および自機器を制御して良いリモコンコードかどうかを判断する機能を備え、自機器のリモコンコードでない場合には赤外線発光器接続端子２１６を介してそのリモコンコードに応じたリモコン信号を赤外線発光器１０６から出力させてＣＳチューナ１０５等の外部機器を制御し、自機器に対するリモコンコードであり、かつ予め処理実行が禁止されていないリモコンコードの場合には自機器を制御する。逆に自機器に対するリモコンコードで処理実行が禁止されている場合にはリモコン信号に対する処理実行は行わない。
【００１４】
次に、部屋１０２に設置されるネットワークＴＶ１０８の構成について説明する。ネットワークＴＶ１０８は、無線アンテナ２１８と、この無線アンテナ２１８に接続され、符号化処理された映像信号および音声信号を受信するとともにリモコン信号を送信する伝送部２１９と、伝送部２１９で受信した映像信号および音声信号を復号する復号処理部２２０と、この復号処理部２２０で復号された映像信号に基づいて映像を表示するモニタ２２１と、同じく復号処理部２２０で復号された音声信号に基づいて音声を出力するスピーカ２２２と、リモコンからのリモコン信号を受光するリモコン受光部２２３と、このリモコン受光部２２３からのリモコン信号をリモコンコードに解釈変換して伝送部２１９に出力、或いはネットワークＴＶ１０８のモニタ２２１やスピーカ２２２等の各種制御を実行するための制御出力を行うリモコンコード処理部２２４とを備えている。
【００１５】
このように構成されたＡＶ伝送システムにおいて、ＣＳチューナー１０５の映像および音声を部屋１０２に設置されたネットワークＴＶ１０８にて視聴する手順を説明する。
【００１６】
ネットワークＴＶ１０４では、図示しないＴＶアンテナからＴＶアンテナ端子２０１を介して入力されチューナー部２０２によりＴＶ放送が選局され、復調部２０３により映像および音声がそれぞれ復調される。一方、外部映像入力端子２０４を介してＣＳチューナー１０５から映像および音声が入力される。それぞれ入力された２系統の映像および音声は、映像音声切替部２０６により切り替えられ、それぞれモニタ２０７およびスピーカー２０８から出力されて視聴される。また、２系統の映像および音声は、無線伝送のために映像音声切替部２０９により切り替えられ、符号化処理部２１０においてデジタル信号に変換され、ＭＰＥＧ２等の符号化データとして符号化処理される。符号化処理されたデータは伝送部２１１により無線伝送方式の形式に変換され、無線アンテナ２１２により無線送信される。無線伝送方式としては、例えばＩＥＥＥ８０２．１１ａ、ＩＥＥＥ８０２．１１ｂ等がある。
【００１７】
ネットワークＴＶ１０８では、ネットワークＴＶ１０４から送信された無線電波が無線アンテナ２１８を介して伝送部２１９により受信され、符号化データが取り出される。取り出された符号化データは復号処理部２２０によりＭＰＥＧ２等の符号化データが元のデジタル信号に戻された後、アナログの映像および音声信号に変換され、モニタ２２１およびスピーカー２２２から出力されて視聴される。
【００１８】
次に、部屋１０２にあるリモコン１０９を用いて部屋１０１に設置されたネットワークＴＶ１０４またはＣＳチューナー１０５を遠隔操作する手順を説明する。
ネットワークＴＶ１０８では、リモコン１０９により発光された赤外線信号はリモコン受光部２２３を介してリモコンコード処理部２２４に入力される。リモコンコード処理部２では入力されたリモコンコードを解釈し、ネットワークＴＶ１０８自身へのコマンドであった場合は自身の各部に出力され、ネットワークＴＶ１０８自身へのコマンドでない場合は伝送部２１９により無線伝送方式の形式に変換され無線アンテナ２１８を介して無線送信される。
【００１９】
ネットワークＴＶ１０４では、無線アンテナ２１２を介して伝送部２１１によりリモコン信号が受信されると、リモコンコード処理部２１３によりリモコンコードが解釈され、解釈された内容がネットワークＴＶ１０４自身への操作であった場合、ネットワークＴＶ１０４の内部に指示されて処理実行されるが、あらかじめソフトウェア等により指定しておいたリモコン操作については内部への処理実行を禁止する。リモコンコードがネットワークＴＶ１０４自身でない場合は赤外線発光器接続端子２１６を介して赤外線発光器１０６に出力される。出力されたリモコンコードは赤外線発光器１０６から赤外線が発光されると、ＣＳチューナー１０５が制御される。
【００２０】
次に、第１の実施の形態のＡＶ伝送システムにおいてリモコンによる機器制御の動作について図３を参照して説明する。
ステップ３０１において、部屋１０２のリモコン１０９を操作するとリモコン受光部  ２２３により受光され、リモコンコード処理部２２４によりリモコンコードが解釈される。ステップ３０２においてリモコンコードが自機器のコードであった場合は、ステップ３０３に進みリモコンコードの示す内容を実行する。例えば、ネットワークＴＶ１０８に付属のリモコンにより音量アップボタンが押された場合は、音量アップの処理を行う。ステップ３０２においてリモコンコードが自身のコードでなかった場合は、ステップ３０４に進み、リモコンコードを伝送部２１９および無線アンテナ２１８を介して無線電波としてネットワークＴＶ１０４へ送信する。
【００２１】
ステップ３０５において、ネットワークＴＶ１０８は無線アンテナ２１２および伝送部２１１により受信された無線電波からリモコンコードを取得する。
ステップ３０６においてリモコンコード処理部２１３により取得したリモコンコードを解析し、その結果ネットワークＴＶ１０４に対するコードであった場合はステップ３０８に進み、そうでなかった場合はステップ３０７に進む。ステップ３０７において、リモコンコード処理部２１３は赤外線発光器接続端子２１６を介してリモコンコードを赤外線発光器１０６に出力すると、赤外線発光器１０６から部屋１０２のリモコン１０９と同等の赤外線信号が発光され、外部に接続された機器（本実施例ではＣＳチューナー１０５）が制御される。ステップ３０８において、取得したリモコンコードが指定されていたリモコンコードであった場合、ステップ３０９においてそのリモコンコードの処理実行を禁止し、そうでない場合は、ステップ３１０においてネットワークＴＶ１０４の内部に指示して処理実行される。
【００２２】
以上により、部屋１０２のリモコン１０９からネットワークを介してネットワークＴＶ１０４に受信されたリモコンコードが、ネットワークＴＶ１０４以外の機器である場合とネットワークＴＶ１０４に対するリモコンコードでありかつ特に指定されていない場合についてはリモコン制御を実行し、ネットワークＴＶ１０４に対するリモコンコードでありかつ指定されたリモコンコードである場合はリモコン制御を実行しないように制御することができる。例えば、ネットワークＴＶ１０４の音量アップコード、音量ダウンコードを実行しないように指定しておくと、部屋１０２からリモコン１０９としてネットワークＴＶ１０４に付属のリモコンを用いた場合、遠隔操作による音量操作を禁止することができる。また、部屋１０２からネットワークＴＶ１０４のリモコンコードがプリセットされたＣＳチューナー１０５に付属のリモコンを用いた場合およびネットワークＴＶ１０４のリモコンコードを学習した学習リモコンを用いた場合でもネットワークＴＶ１０４のリモコンコードを発光することができ、この場合でも同様に遠隔操作による音量操作を禁止することができる。
【００２３】
通常、部屋１０２からネットワークを介して部屋１０１に設置したネットワークＴＶ１０４の音量操作を行うことは考えにくく、本実施例を用いることで、部屋１０１においてネットワークＴＶ１０４により他の映像および音声コンテンツを視聴している他の視聴者への迷惑を防止することができる。
【００２４】
図４は本発明の第２の実施の形態におけるネットワークＴＶ１０４およびネットワークＴＶ１０８の構成を示すブロック図である。図４は図１を比して新たにネットワークＴＶ１０８内にリモコンコード制御テーブル４０１を設けた点が異なる。その他の部分は第１の実施の形態と同一であるため、同じ符号を付し説明を省略する。
【００２５】
ここで、リモコンコード制御テーブル４０１の構成とリモコンコード制御テーブル４０１への登録方法について説明する。
図５はリモコンコード制御テーブルの構成を示す図である。
リモコンコード制御テーブル４０１は、主にネットワークＴＶ１０８のリモコンコードを記憶させる許可領域６０１と、ネットワークを介した遠隔操作の際に各機器の禁止したい操作に該当するリモコンコードを記憶させる制御禁止領域６０２とにより構成されている。
【００２６】
図７はリモコンコード制御テーブルへの登録方法の一例を示すフローチャートである。
一例として、ネットワークＴＶ１０４の音量アップを禁止し、代わりにネットワークＴＶ１０８の音量アップを実行させたい場合の登録手順を説明する。
ネットワークＴＶ１０８本体ボタンの操作等によりネットワークＴＶ１０８をリモコンコード登録モードに移行させておく。ステップ７０１においてネットワークＴＶ１０８に付属のリモコンの音量アップボタンを押すと、赤外線が発光され、ステップ７０２において赤外線を受光し、受光した信号からリモコンコードを抽出してリモコンコート制御テーブル４０１内の許可領域６０１に記憶させる。ステップ７０３においてネットワークＴＶ１０４に付属のリモコンの音量アップボタンを押すと、赤外線が発光され、ステップ７０４において赤外線を受光し、受光した信号からリモコンコードを抽出してリモコンコード制御テーブル４０１内の制御禁止領域６０２に記憶させる。ステップ７０５において、引き続き他のリモコンコードの登録したい場合はステップ７０１に戻り、そうでなければ終了する。
【００２７】
次に、第２の実施の形態のリモコンによる機器制御の動作について図７を参照して説明する。
ステップ５０１において、部屋１０２のリモコン１０９を操作するとリモコン受光部２２３により受光され、リモコンコード処理部２２４によりリモコンコードが解釈される。ステップ５０２において、リモコンコードが自機器へのコードである場合はステップ５０３に進み、そうでない場合はステップ５０４に進む。ステップ５０３において自機器内部に対してリモコンコードの示す内容を実行する。例えば、ネットワークＴＶ１０８に付属のリモコンにより音量アップボタンが押された場合は、音量アップの処理を行う。ステップ５０４においてリモコンコード処理部２２４はリモコンコードをリモコンコード制御テーブル４０１と照合し、リモコンコードがテーブルにある場合は、ステップ５０５に進み、そうでない場合はステップ５０６に進む。
【００２８】
ステップ５０５において、リモコンコード制御テーブル４０１から自機器のリモコンコードを取得し、リモコンコードの操作内容を自機器の同じ操作に置き換え、自機器内部に対してその操作を実行させる。例えば、リモコンコード制御テーブル４０１にネットワークＴＶ１０４の音量アップを示すリモコンコードを記憶させておき、リモコン１０９から同じリモコンコードを入力された場合、リモコンコード処理部２２４は自機器内部に音量アップを指示する。或いは、ネットワークを介した遠隔操作の際に各機器の禁止したい操作に該当するリモコンコードを取得した場合にはそこで終了させることで遠隔機器の制御を禁止する。
【００２９】
ステップ５０６において、リモコンコードを伝送部２１９においてリモコンコードを無線伝送方式の形式に変換し、無線アンテナ２１８を介して無線電波として送信する。
【００３０】
ステップ５０７において、無線アンテナ２１２および伝送部２１１により受信された無線電波からリモコンコードを取得する。
ステップ５０８において、リモコンコード処理部２１３により取得したリモコンコードを解析し、その結果ネットワークＴＶ１０４に対するコードであった場合はステップ５０９に進み、そうでなかった場合はステップ５１０に進む。ステップ５０９において、ネットワークＴＶ１０４の内部にリモコンコードの示す操作内容を指示して処理実行される。ステップ５１０において、リモコンコード処理部２１３は赤外線発光器接続端子２１６を介してリモコンコードを赤外線発光器１０６に出力すると、赤外線発光器１０６から部屋１０２のリモコン１０９と同等の赤外線信号が発光され、外部に接続された機器（本実施例ではＣＳチューナー１０５）が制御される。
【００３１】
以上第２の実施形態によれば、リモコン１０９から受光したリモコンコードが自機器以外のリモコンコードかつリモコンコード制御テーブル２１４に含まれていない場合については、ネットワークを介して送信し、含まれている場合は、ネットワークを介して送信せず、代わりにリモコンコードの操作内容を自機器の同じ操作に置き換え、自機器内部に対してその操作を実行させることができる。その際、例えば、ネットワークＴＶ１０４の音量アップコード、音量ダウンコードをリモコンコード制御テーブル２１４内の制御禁止領域６０２に設定しておくと、部屋１０２からネットワークを介した遠隔操作によりネットワークＴＶ１０４の音量操作を禁止することができ、許可領域６０１に設定しておけば代わりにネットワークＴＶ１０８の音量操作をすることができる。本実施例を用いることで、前述のように、部屋１０１においてネットワークＴＶ１０４により他の映像および音声コンテンツを視聴している他の視聴者への迷惑を防止することができることに加え、本来意図する操作を実行することができる。
【００３２】
尚、本発明は上述した実施の形態に限るものではなく、種々の変形が可能である。
第１の実施の形態においては、部屋１０２からの遠隔操作を禁止するリモコン操作は、あらかじめソフトウェアにより指定しておいたが、これに限らず、ハードウェアによりリモコンコードをテーブル形式で指定しておいてもよい。また第２の実施の形態のように登録可能としてもよい。
【００３３】
第１および第２の実施の形態では、映像音声切り替え部がネットワークＴＶ１０４での視聴用とネットワーク伝送用とで２つ備えられているが、これらを兼用して１つとして適用できることは言うまでもない。
【００３４】
また、赤外線発光器１０６をネットワークＴＶ１０４に内蔵しても適用することができる。
また、ＣＳチューナー１０５はＶＣＲ等他の映像・音声出力機器でもよく、映像または音声一方を出力する機器でもよい。また、ＣＳチューナー１０５等の外部接続機器は特に接続しなくても適用することができることは言うまでもない。
【００３５】
第１および第２の実施の形態において、部屋１０２からの遠隔操作を禁止する際、ネットワークを介して映像および音声を図２の構成においては送信中、図４の構成においては受信中という条件を追加することができる。このようにすると、例えば、ネットワークＴＶ１０４の操作についてについて、部屋１０２において視聴しているときは部屋１０２から電源オン／オフを禁止し、視聴していない時は部屋１０２から電源オン／オフを実行することができる。その他、図２の構成においてはネットワークＴＶ１０４、図４の構成においてはネットワークＴＶ１０８を操作しておいた場合は、部屋１０２からの遠隔操作を禁止する等様々な条件を追加しても良い。
【００３６】
第１および第２の実施の形態において、無線伝送部分をネットワークＴＶの外付けとし、既存のＴＶ等と接続して用いる構成とすることもできる。
図８は、図２の構成から無線伝送部分を外付けとした例である。
ネットワークＴＶ１０４の無線伝送部分を外付け化した無線送信ユニット８０１は、映像・音声入力端子８０１、符号化部２１０、伝送部２１１、無線アンテナ２１２、リモコンコード処理部２１３、赤外線発光器接続端子２１６から構成される。ネットワークＴＶ１０８の無線伝送部分を外付け化した無線受信ユニット８０２は、無線アンテナ２１８、伝送部２１９、復号処理部２２０、リモコン受光部２２３、リモコンコード処理部２２４、映像・音声出力端子８０４から構成される。尚、無線伝送部分の外付け化はどちらか一方としてもよい。
【００３７】
第１および第２の実施の形態において、リモコンは赤外線を用いるものに限らず、ＵＨＦ帯等の電波を使用するものでもよい。また、部屋１０１と部屋１０２は無線に限らず、Ethernet（登録商標）等の有線接続方式を用いることもできる。
【図面の簡単な説明】
【００３８】
【図１】本発明にかかるＡＶ伝送システムの第１の実施の形態の構成を示す概要図である。
【図２】図１のＡＶ伝送システムにおけるネットワークＴＶの構成を示すブロック図。
【図３】本発明のリモコンによる機器制御の動作を説明するフローチャートである。
【図４】本発明の第２の実施の形態のＡＶ伝送システムにおけるネットワークＴＶの構成を示すブロック図。
【図５】本発明のリモコンコード制御テーブルの一例を示す図である。
【図６】本発明のリモコンコード制御テーブルへの登録方法の一例を示すフローチャートである。
【図７】本発明の第２の実施の形態のリモコンによる機器制御の動作を説明するフローチャートである。
【図８】本発明の無線伝送部分をネットワークＴＶの外付け化した場合の無線送信ユニットおよび受信ユニットの構成図である。
【符号の説明】
【００３９】
１０３・・・無線アンテナ、１０４・・・ネットワークＴＶ、１０５・・・ＣＳチューナー、１０６・・・赤外線発光器、１０７・・・無線アンテナ、１０８・・・ネットワークＴＶ、１０９・・・リモコン、２０２・・・チューナ部、２０５・・・映像音声入力部、２０７・・・モニタ、２０８・・・スピーカ、２１１・・・伝送部、２１２・・・無線アンテナ、２１３・・・リモコンコード処理部、２１５・・・リモコン受光部、２１６・・・赤外線発光器接続端子、２１８・・・無線アンテナ、２１９・・・伝送部、２２１・・・モニタ、２２２・・・スピーカ、２２４・・・リモコンコード処理部、２２３・・・リモコン受光部、４０１・・・リモコンコード参照テーブル
【図１】
2005333511.tif 000003
【図２】
2005333511.tif 000004
【図３】
2005333511.tif 000005
【図４】
2005333511.tif 000006
【図５】
2005333511.tif 000007
【図６】
2005333511.tif 000008
【図７】
2005333511.tif 000009
【図８】
2005333511.tif 000010